(57)【特許請求の範囲】
【請求項１】
セット・イン・スリーブタイプの上着において、身頃と袖とを縫合せた状態のアームホール部において、袖付けの縫い代に肩先から背中側のアームホール中央付近までシャーリングテープがテンションをかけられた状態で縫着されたことを特徴とする上着。
【請求項２】
前記シャーリングテープはテンションのかかっていない状態の長さに対して長さ方向に１０〜２５％引き伸ばされて前記袖付けの縫い代に縫着されて、縫着後に収縮していることを特徴とする請求項１記載の上着。
【請求項３】
前記上着の肩部に肩パッドが存在しないことを特徴とする請求項１または請求項２記載の上着。
【請求項４】
前記上着の表地がニット地であることを特徴とする請求項１〜３の何れか１項に記載の上着。
【発明の詳細な説明】
【技術分野】
【０００１】
本発明は、上着に関する。より詳しくは、本発明は、ジャージー（ニット地）からなる上着に適した、アームホール部分を有する上着に関するものである。
【背景技術】
【０００２】
従来、背広やジャケット等のセット・イン・スリーブタイプの肩部には、略半円形状の不織布や綿などを積層して立体的に成形した肩パッドが使用されている。
【０００３】
従来の背広やジャケット等のセット・イン・スリーブタイプ（普通袖タイプ）の上着は、人体の肩甲骨による膨らみに沿わせるため、および、腕を動かし易くするために、前身頃の肩線の長さよりも後身頃の肩線の長さを長くして、後身頃の肩部をいせ込みながら、前身頃の肩線と後身頃の肩線とを縫合せる。一方、後身頃はその肩先から袖付けの脇にかけて縦にゆとりを持たせている。
【０００４】
図１（ａ）は上着の前身頃１、後身頃２および細腹３を縫合せた状態の側面図で、（ｂ）はその背面図を示しており、点線の〇で囲った部分がゆとりとなる箇所で、図１（ｂ）に示したように肩甲骨部分の高さがアームホール４に向かってフレアー状の余り２ａとなり、その余り２ａは図１（ａ）に斜線で示したように、アームホール４より浮き上がっている。
【０００５】
この状態の身頃と袖とを縫製する場合、後身頃２のアームホール部をいせ込むようにして袖５と後身頃２とを縫合わせている。縫合わせた状態を図２に示しており、ゆとりとなる箇所を点線の〇で囲って示した。このゆとりとなる箇所には、所謂「抱き皺（だきじわ）」または「だき落ち」といわれる斜めの皺２ｂが肩から袖にかけて形成されてしまう。
【０００６】
この皺を消すために、従来の背広やジャケット等の上着では、立体的に成形された肩パッドを入れて、シルエットを美しく整えている。
【０００７】
しかし、従来の肩パッドでは、縫製後に仕上げのプレスをした際に肩パッドを構成する素材がプレスにより伸びて、肩パッドの形がくずれたり、或いは、洗濯によって肩パッドの形がくずれたりして、その結果、衣服の肩部の形くずれが生じたりしている。
【０００８】
肩パッドの形くずれを防ぐために、従来から種々の提案がなされている。例えば、特許第３５６９６１０号公報（特許文献１）では、形状記憶合金や形状記憶樹脂を肩パッド内に使用して、肩パッドの形くずれを防止することが提案されている。
【０００９】
また、実用新案登録第３０６１２２５号公報（特許文献２）においては、肩パッドの素材よりも剛い布製芯を肩パッドに用いて肩パッドの形くずれを防止することが提案されている。
【００１０】
特開平１１−１２８３０号公報（特許文献３）および実公平５−４３０４７号公報（特許文献４）には、肩パッドの肩先側の縁に垂れ綿とともに形状記憶部材を縫着して、肩部のシルエットラインを良好に保つことが提案されている。
【００１１】
また、特許第４１５０４４４号公報には、肩口の垂れ綿内に肩口の湾曲に略相似な円弧状弾性片（金属繊維またはテグス）を収納し、この円弧状弾性片の一端のみを垂れ綿に止着することにより、円弧状弾性片が肩口の動きに追随し、その端部を出っ張らせることなく保形力を発揮できるという上着の肩口構造が提案されている。
【先行技術文献】
【特許文献】
【００１２】
【特許文献１】特許第３５６９６１０号公報
【特許文献２】実用新案登録第３０６１２２５号公報
【特許文献３】特開平１１−１２８３０号公報
【特許文献４】実公平５−４３０４７号公報
【特許文献５】特許第４１５０４４４号公報
【発明の概要】
【発明が解決しようとする課題】
【００１３】
前述した特許文献に開示された上着は肩パッドを使用して、抱き皺を解消するものである。しかし、ニット生地からなる上着（ジャージーの上着）や夏用上着では、布地が柔軟であったり、薄かったりするために、肩パッドを使用すると、肩パッドの箇所がそのまま膨らんだ状態で外観に響いてしまい、上着のシルエットが崩れてしまうという問題が生じる。
【００１４】
本発明はこのような問題を解決するために、後身頃の肩先から袖付けの脇にかけてゆとりを持たせたセット・イン・スリーブタイプの上着において、肩パッドを使用しなくとも、抱き皺が生じず、背中のシルエットの崩れを軽減した上着を提供することを目的とする。
【課題を解決するための手段】
【００１５】
本発明は、セット・イン・スリーブタイプの上着において、身頃と袖とを縫合せた状態のアームホール部において、袖付けの縫い代に肩先から背中側のアームホール中央付近までシャーリングテープがテンションをかけられた状態で縫着されたことを特徴とする上着により前記目的を達成した。
【００１６】
本発明において、前記シャーリングテープはテンションのかかっていない状態の長さに対して長さ方向に１０〜２５％引き伸ばされて、袖付けの縫い代に縫着され、縫着後に収縮しているものである。
【００１７】
本発明の上着はその肩部に肩パッドが存在しないことが好ましい。また、本発明の上着はその表地がニット地であることが好ましい。
【発明の効果】
【００１８】
本発明によれば、セット・イン・スリーブタイプの上着において、身頃と袖とを縫合せた状態のアームホール部において、袖付けの縫い代に肩先から背中側のアームホール中央付近までシャーリングテープがテンションをかけられた状態で縫着されたので、縫着後のシャーリングテープは収縮し、それに伴いアームホールにおいて肩先から背中側のアームホール中央付近の部分までの袖付けの縫い代がその長さ方向にいせ込んだように縮まり、その結果、後身頃の袖付け付近の箇所は肩先に向かって引張り上げられたような感じになり、背中の抱き皺がなくなる。
【００１９】
更に、本発明によれば、シャーリングテープを伸ばした状態で縫着した背中側の袖付けの縫い代は見掛けはいせ込んだように襞が寄っているが、この襞は引張り力がかかればシャーリングテープとともに伸ばすことができる。このため、腕を動かした場合も、背中側のアームホールが伸びるので、腕を動かし易い。
【００２０】
シャーリングは平面の布に細かくギャザーを寄せて、布面に立体的な陰影をつくる装飾的な技法であり、手縫いで行ったり、ミシンの下糸にゴムミシン糸を使用したりすることが多い。また、伸縮性を有するシャーリング用のテープも市販されており、このシャーリングテープを引き伸ばしながら布に縫い付けて、ギャザーを形成する。この場合、ギャザーにより所望の装飾的効果を得るために、シャーリングテープを元の長さに対して６０％以上伸長した状態で行うことが普通である。
【００２１】
これに対して、本発明によれば、シャーリングテープは長さ方向に元の長さの１０〜２５％、好ましくは、１２〜２０％、引き伸ばすだけである。これは、アームホールにおける背中のゆとり分となる長さ（後身頃の袖付け長さと袖の袖付け長さとの差）を袖付け時にいせ込んだために生じる抱き皺を解消するためにシャーリングテープを使用するのであり、装飾的効果を得るためにギャザーを形成するためではないからである。すなわち、本発明においては、シャーリングテープを引き伸ばし過ぎて縫着した場合は、縫着後のシャーリングテープによる縮みが大きく、背中側の袖付けの箇所に皺が寄り過ぎて、見た目が悪くなる。
【００２２】
本発明によれば、肩パッドを使用しなくても、背中のシルエットを美しく保つことができる。
【００２３】
また、本発明によれば、肩パッドを使用しない場合は、ニット地や薄手の生地を上着の表地として使用しても、肩パッドによるシルエットへの悪影響がなく、しかも肩パッドを使用したのと同様に抱き皺が生じない。しかも、ニット生地を使用した場合は、ニット地が多少の伸縮性を有するので、腕等を動かし易く、着心地がよい。
【００２４】
ニット地は伸縮性を有するので、長期間、着用するとシルエットが崩れる傾向があるが、本発明によれば背中のシルエットの崩れを軽減することできる。
【図面の簡単な説明】
【００２５】
【図１】図１（ａ）は上着の前身頃、後身頃および細腹を縫合せた状態のものを人台に着せ掛けた状態を示す側面図であり、図１（ｂ）は図１（ａ）に示したものの背面図である。
【図２】上着の背面図であり、説明のために上着の左後身頃側は袖を付けた状態で示し、右後身頃側はまだ袖を付けていない状態で示している。
【図３】本発明の上着のアームホール部を示す斜視図であり、上着を裏側から見た状態を示している。
【図４】本発明の上着の背面図であり、説明のために、上着の左後身頃側は袖を付けた状態で示し、右後身頃側はまだ袖を付けていない状態で示している。
【図５】図５（ａ）は本発明に使用するシャーリングテープの一実施例の平面図であり、図５（ｂ）はシャーリングテープの別の実施例の平面図である。
【発明を実施するための形態】
【００２６】
以下、図面に示した実施例に基いて本発明を詳細に説明する。
【００２７】
本発明の上着は通常のアームホールの位置で袖付けをしたセット・イン・スリーブタイプの上着である。本発明は、特に、表地がニット地（ジャージ）や薄い生地であり、肩パッドを使用しない上着に適している。
【００２８】
本発明の上着は、従来の背広やジャケットと同様に、人体の肩甲骨による膨らみに沿わせるため、および、腕を動かし易くするために、前身頃１の肩線の長さよりも後身頃２の肩線の長さを長くして、後身頃２の肩部をいせ込みながら、前身頃１の肩線と後身頃２の肩線とを縫合せる。一方、後身頃２を後身頃２の肩先から袖付けの脇にかけて縦にゆとりを持たせている。
【００２９】
図１（ａ）および（ｂ）は本発明の上着における前身頃１、後身頃２および細腹３を縫合せた状態のものを人台９に着せ掛けた状態で示している。図１（ａ）において縫合せた状態の肩線に符号６を付して示した。また、図１（ａ）および（ｂ）において、点線の〇で囲って示した部分がゆとり２ａとなる箇所で、図１（ｂ）に示したように肩甲骨部分の高さがアームホール４に向かってフレアー状の余り（ゆとり）２ａとなり、その余り２ａは図１（ａ）に斜線で示したように、アームホール４より浮き上がっている。
【００３０】
この状態の身頃１、２、３のアームホールと袖５とを縫製する際に、後身頃２のアームホール部をいせ込むようにして袖５と後身頃２とを縫合わせる。図２において、左後身頃側が袖５を付けた状態で示しており、右後身頃側は袖を付ける前の状態を示しており、袖５を付ける前に符号２ａで示したゆとりとなる箇所は袖を付けた後は図２において点線の〇で囲って示したように斜めの皺２ｂ（所謂、抱き皺）が肩から袖にかけて生じる。
【００３１】
ここまでの縫製手順は従来と同様である。
【００３２】
本発明においては、袖付けを行った後に、袖５の縫い代５１および後身頃２の袖付けの縫い代２１に肩先から背中側のアームホール中央付近までシャーリングテープ７を、テンションをかけた状態（引き伸ばした状態）で縫着する（図３参照）。シャーリングテープ７は、重なり合った状態の両縫い代２１、５１に袖５の縫い代５１側から縫着することが好ましい。
【００３３】
この際、シャーリングテープ７を、テンションのかかっていない状態の長さ（元の長さ）に対して長さ方向に１０〜２５％、好ましくは１２〜２０％、引き伸ばしながら縫い代５１、２１に縫着する。シャーリングテープ７は縫着後に収縮するが、縫合せた縫い代５１、２１の厚みがあるので、完全に元の長さに戻るわけではない。収縮する長さは、上着に使用する生地の厚みに関係するので一様ではないが、おおよそ、伸ばした分の半分程度が戻る。
【００３４】
図３には、シャーリングテープ７が縫着後に収縮して、縫い代２１に皺が寄っていることを分かり易く示している。
【００３５】
シャーリングテープ７を縫着した縫い代２１、５１は袖側に倒す。上着の表側から見ると、図４の袖を付けた状態の左後身頃側に示すように、肩先から背中側のアームホール中央付近の間Ａ−Ｂの縫い代が縫い縮められて、後身頃の袖付け付近の箇所（点線の〇で示した箇所）は肩先に向かって引張り上げられたような感じになり、少し膨らみ加減となって、袖付けの縫い目が袖と後身頃との間に少し入り込んだような状態となり、背中の抱き皺はなくなる。
【００３６】
本発明に使用するシャーリングテープ７は、テープ状のもので、適度の伸縮性を有するものであれば、特に限定されないが、衣服に使用する通常のゴムテープは厚みがあるので、シャーリングテープとして市販されているものが縫着し易く好ましい。
【００３７】
図５（ａ）および（ｂ）はそれぞれシャーリングテープ７の一実施例を示しているものである。図５（ａ）に示したシャーリングテープ７は平行に並べられた３本の弾性糸７１（例えば、ポリウレタン弾性糸）とこれらを接続するよこ糸７２（例えば、ナイロン加工糸）とからなる。図５（ｂ）に示したシャーリングテープ７は平行に並べられた４本の弾性糸７１とこれらを接続するよこ糸７２とからなる。なお、本発明においてシャーリングテープ７はこれに限定されるものではない。
【符号の説明】
【００３８】
１  前身頃
２  後身頃
２ａ  ゆとり
２ｂ  抱き皺
４  アームホール
５  袖
６  肩線
７  シャーリングテープ
２１  後身頃の袖付けの縫い代
５１  袖の袖付けの縫い代
【図１】
0005420524.tif 000002
【図２】
0005420524.tif 000003
【図３】
0005420524.tif 000004
【図４】
0005420524.tif 000005
【図５】
0005420524.tif 000006